(57)【特許請求の範囲】
【請求項１】
ランプが収納され出射用の開口窓が形成された反射器と、反射器に形成した開口窓を覆う透光板とを備え、開口窓の周縁に外鍔片と該外鍔片に対向する押さえ片とを折曲加工によって形成することで、開口窓の周縁に全周に亙って透光板の周部が挿入される保持溝が外鍔片と押さえ片との間に形成され、透光板においてランプとの対向面の周部が保持溝内の一面に当接されるとともに、保持溝内の他面と透光板との間にパッキンが挟持されて成ることを特徴とする照明装置。
【請求項２】
反射器は金属製であって透光板におけるランプとの対向面には全面に亙って導電層が形成され導電層が反射器に電気的に接続されて成ることを特徴とする請求項１記載の照明装置。
【発明の詳細な説明】
【０００１】
【発明の属する技術分野】
本発明は、反射器の出射用の開口窓を透光板で覆った照明装置に関するものである。
【０００２】
【従来の技術】
従来より、この種の照明装置として、図８に示すように、ランプ１を収納した反射器２の開口窓３の周縁にガラス板のような透光板４を当接させ、透光板４を反射器２に密着させるようにばね５で引っ張る構造のものが提案されている。透光板４の周部にはパッキン６が取り付けられ、ばね５をパッキン６に結合することによって、透光板４に傷が付いたり割れたりするのを防止している。しかしながら、この構造は部品点数が多く複雑であって製造コストが高いという問題を有している。
【０００３】
一方、図９に示すように、反射器２の開口窓３の周縁に全周に亙って保持溝７を形成し、保持溝７内に透光板４の周部を挿入するとともに、透光板４の周部と保持溝７の内周面との間に全面に亙ってパッキン６を挟装する構造も考えられている。この構造は、反射器２の開口縁にあらかじめ外鍔片２ａを形成しておき、透光板４の周部に断面略コ字形のパッキン６を装着した状態で外鍔片２ａの上に透光板４を重ね、外鍔片２ａに断面コ字形となるように折曲加工を施して、外鍔片２ａに対向する押さえ片２ｂを形成することによって保持溝７を形成したものである。したがって、パッキン６は折曲加工の際の緩衝材として機能する。
【０００４】
【発明が解決しようとする課題】
ところで、上記構成ではランプ１が高温になると、パッキン６が加熱されて成分の一部が分解することがあり、反射器２や透光板４に汚れが付着して出射効率を低下させることがある。反射器２と透光板４とは取り外すことができず、反射器２においてランプ１に近い端部は狭くなっているから、ランプ１から反射器２を外したとしても付着した汚れを除去するのは難しいものである。
【０００５】
本発明は上記事由に鑑みて為されたものであり、その目的は、反射器の内部に汚れが付着するのを防止した照明装置を提供することにある。
【０００６】
【課題を解決するための手段】
請求項１の発明は、ランプが収納され出射用の開口窓が形成された反射器と、反射器に形成した開口窓を覆う透光板とを備え、開口窓の周縁に外鍔片と該外鍔片に対向する押さえ片とを折曲加工によって形成することで、開口窓の周縁に全周に亙って透光板の周部が挿入される保持溝が外鍔片と押さえ片との間に形成され、透光板においてランプとの対向面の周部が保持溝内の一面に当接されるとともに、保持溝内の他面と透光板との間にパッキンが挟持されているものである。この構成によれば、パッキンが反射器の内部側に配置されていないから、ランプからの熱の影響を受けにくく、しかもランプの熱によってパッキンの成分の一部が分解したとしても反射器や透光板における反射器側の一面に汚れが付着することがなく、出射効率の低下を防止することができる。しかも、従来構成と同様に反射器の開口窓付近に折曲加工を施して保持溝を形成するときにパッキンが緩衝材として機能することにより透光板に傷が付いたり透光板が割れたりするのを防止することができる。
【０００７】
請求項２の発明は、請求項１の発明において、反射器が金属製であって透光板におけるランプとの対向面には全面に亙って導電層が形成され導電層が反射器に電気的に接続されているものである。この構成によれば、ランプが高周波放電を利用した無電極放電ランプである場合のようにランプから多量の電磁波が輻射されるときでも、反射器と導電層とによってランプを囲むことで、電磁波の外部への輻射量を低減することができる。
【０００８】
【発明の実施の形態】
（実施形態１）
本実施形態は、図１、図２に示すように、ランプ１を碗状の反射器２に収納し、反射器２に形成された開口窓３をガラス板のような透光板４で覆ったものである。反射器２の開口窓３の周縁には保持溝７が形成され、透光板４の周部は保持溝７内に挿入される。また、透光板４においてランプ１側の一面は保持溝７の内周面に面接触し、透光板４の他面と保持溝７の内周面との間にはシリコンゴムなどからなるパッキン６が装着される。つまり、従来構成ではパッキン６は断面略コ字形であったが、本実施形態では断面略Ｌ字形に形成されたパッキン６を用いる。このパッキン６により透光板４は反射器２に対してがたつきなく定位置に固定されることになる。
【０００９】
反射器２に透光板４を取り付けるには、従来構成と同様に反射器２の開口縁に外鍔片２ａを形成しておき、透光板４の周部を外鍔片２ａに重ねるとともに透光板４の周部にパッキン６を取り付け、さらに、外鍔片２ａに断面略コ字形となるように折曲加工を施して外鍔片２ａに対向する押さえ片２ｂを形成し、外鍔片２ａと押さえ片２ｂとの間に保持溝７を形成する。ここで、折曲加工の際に透光板４は外鍔片２ａに当接しているが、押さえ片２ｂと透光板４との間にはパッキン６が介在しているから、折曲加工の際の応力で透光板４が割れたり、あるいは折曲加工時に透光板４に傷が付いたりするのを防止することができる。つまり、パッキン６は折曲加工時の緩衝材として機能する。
【００１０】
上記構成では反射器２と透光板４とに囲まれた空間（つまり、ランプ１を収納している空間）にパッキン６が露出していないから、ランプ１の発熱によってパッキン６が加熱され分解成分が生じたりしても、その分解成分が反射器２と透光板４とにより囲まれた空間に入り込むことがなく、反射器２に汚れが付着したり、透光板４におけるランプ１との対向面に汚れた付着したりするのを防止することができる。つまり、透光板４の外側の汚れに対するメンテナンスを行なうだけで出射光量を維持することができるのである。
【００１１】
ところで、上記構成の照明装置Ａは、図３に示すように、ランプ１を点灯させるための点灯装置および電源装置を内蔵した光源ユニット１０に結合される。また、照明装置Ａに筒状（円筒状）に形成されたライトガイド８の長手方向の一端部を結合することにより照明器具を構成することができる。ライトガイド８の長手方向の他端部にはエンドリフレクタ９が配置される。しかして、照明装置Ａからライトガイド８に導入された光をライトガイド８の長手方向に導光しながら周壁を通して徐々に漏光させることによって照明を行なうのである。
【００１２】
ライトガイド８は、図４に示すように、最大４層の構造を有し、照明装置Ａからの光を導光するとともに漏光する機能はプリズムシート１１により実現されている。プリズムシート１１はポリカーボネートのような透明な合成樹脂により形成されたものであり、図５に示すように、長手方向に直交する断面において外側面に凹凸を形成してあり、凸部の頂角は９０度に設定されている。また、内側面は滑らかに形成されている。したがって、内側面からの光の入射角に応じて一部の光はプリズムシート１１を通り抜け、残りの光はプリズムシート１１で反射されることになる。プリズムシート１１は通常は平板状のものを丸めることによって円筒状に形成される。
【００１３】
プリズムシート１１の内側には、白色の合成樹脂シートよりなるエクストラクタフィルム１２が必要に応じて配置され、エクストラクタフィルム１２を設ける位置に応じて配光が制御される。一方、プリズムシート１１の外側には、白色の合成樹脂シートよりなるリフレクタフィルム１３が必要に応じて配置され、リフレクタフィルム１３を設けた部位ではプリズムシート１１からの漏光が遮光される。さらに、プリズムシート１１の外側はアウタフィルム１４により全周に亙って覆われる。リフレクタフィルム１３を設けているときには、アウタフィルム１４はリフレクタフィルム１３の外側に配置される。アウタフィルム１４はポリカーボネートよりなり、通常は円筒状のものを用いるが平板状のものを丸めて円筒状に形成される場合もある。また、アウタフィルム１４は透明ないし乳白色であって、全体を補強して強度を保つ機能を持つ。乳白色のものを用いる場合には光を拡散させる機能も持つことになる。
【００１４】
エンドリフレクタ９は、アルミニウムの成形品であってライトガイド８の端部に嵌着される。また、ライトガイド８の内部に臨む面は鏡面とされており、ライトガイド８からの光を反射する機能を有する。
しかして、照明装置Ａからライトガイド８に導入された光は、ライトガイド（プリズムシート１１）１の内周面で反射を繰り返しながら一部がプリズムシート１１を通過する。エクストラクタフィルム１２やリフレクタフィルム１３を設けていない部位では、プリズムシート１１を通過した光はアウタフィルム１４を通過して外部に取り出される。また、エンドリフレクタ９に到達した光は、エンドリフレクタ９により反射されてライトガイド８に戻り、最終的にはプリズムシート１１およびアウタフィルム１３を通して外部に取り出される。このようにして、ライトガイド８の略全長に亙って略均一な輝度でプリズムシート１１から、光を取り出すことができるのである。
【００１５】
ライトガイド８は適宜箇所で保持部材２０に支持され、天井面のような施工面に固定される。保持部材２０は、図３に示すように、天井面のような施工面に固定される金属製の固定具２１と、ライトガイド８に掛け回されるとともに固定具２１に両端部が結合される支持体２２とにより構成される。
固定具２１は、天井面のような施工面に固定されるレースウェイ２３と、レースウェイ２３の長手方向の適所に固定される取付具２４とを備える。支持体２２には金属製のワイヤを用いる。支持体２２はライトガイド８の外形に沿って湾曲したＵ字状に形成され、支持体２２の両端部にはライトガイド８から離れる側でＵ字状に湾曲したフック部２２ａが形成され、フック部２２ａは取付具２４に係止される。
【００１６】
ライトガイド８を設置する際には、レースウェイ２３を天井面のような施工面に固定し、レースウェイ２３の長手方向の複数箇所に取付具２４を固定する。また、各取付具２４には支持体２２の一方のフック部２２ａを係合させておく。この状態で支持体２２にライトガイド８を嵌め込むと、ライトガイド８は支持体２２により仮保持される。この状態ではライトガイド８の長手方向の位置を調節することが可能である。ライトガイド８を支持体２２により仮保持させた状態で、各支持体２２をそれぞれ縮径方向に撓ませながらフック部２２ａを取付具２４に係合させるのである。
【００１７】
上述のように照明装置Ａにライトガイド８を結合することにより、ライトガイド８に沿って光を出射する照明器具が構成されるのである。
（実施形態２）
本実施形態は、ランプ１が無電極放電ランプである場合にとくに適した構成である。すなわち、無電極放電ランプは、バルブ内で放電ガスを封入した空間内に電極を持たず、放電ガスを封入した空間外から放電ガスに高周波電磁界を作用させることによってアーク放電を生じさせるものであって、動作原理から明らかなように高周波が外部に輻射されやすい構造になっている。そこで、外部への高周波の漏洩を抑制するために、図６に示すように、本実施形態では透光板４において少なくともランプ１との対向面に導電層１５を形成しているものである。実施形態１の説明から明らかなように、透光板４においてランプ１との対向面の周部は反射器２の外鍔片２ａに密着するから、この面の全面に亙って導電層１５を形成しておくことによって導電層１５は反射器２に密着することになる。反射器２はアルミニウムやステンレスにより形成されており導電性を有しているから、結局、ランプ１を略全周に亙って導電体で囲むことになる。反射器２を接地しておけば、反射器２と導電槽１５とは電磁シールドとして機能することになり、ランプ１から発生する高周波が外部に漏洩するのを大幅に低減することができる。
【００１８】
導電層１５としてはたとえばＩＴＯのような透明導電膜が出射効率の面から言えば望ましいが、金属板よりなるメッシュでも電磁シールドの効果が得られるものである。他の構成および動作は実施形態１と同様である。導電層１５は透光板４の両面に形成してもよい。
図７に示すように、透光板４に代えて金網１６を反射器２に装着してもよい。この金網１６には厚み方向に弾性を有するものを用いるようにすれば、パッキン６を用いなくとも金網１６の周部を保持溝７の中でがたつきなく保持することができる。また、金網１６は導電層１５と同様に機能するから、電磁シールドの効果も得られる。つまり、パッキン６が不要であるとともに導電層１５を形成する必要もないから、コストの低減が期待できる。
【００１９】
【発明の効果】
請求項１の発明は、ランプが収納され出射用の開口窓が形成された反射器と、反射器に形成した開口窓を覆う透光板とを備え、開口窓の周縁に外鍔片と該外鍔片に対向する押さえ片とを折曲加工によって形成することで、開口窓の周縁に全周に亙って透光板の周部が挿入される保持溝が外鍔片と押さえ片との間に形成され、透光板においてランプとの対向面の周部が保持溝内の一面に当接されるとともに、保持溝内の他面と透光板との間にパッキンが挟持されているものであり、パッキンが反射器の内部側に配置されていないから、ランプからの熱の影響を受けにくく、しかもランプの熱によってパッキンの成分の一部が分解したとしても反射器や透光板における反射器側の一面に汚れが付着することがなく、出射効率の低下を防止することができるという利点を有する。
【００２０】
請求項２の発明のように、反射器が金属製であって透光板におけるランプとの対向面には全面に亙って導電層が形成され導電層が反射器に電気的に接続されているものでは、ランプが高周波放電を利用した無電極放電ランプである場合のようにランプから多量の電磁波が輻射されるときでも、反射器と導電層とによってランプを囲むことで、電磁波の外部への輻射量を低減することができるという利点がある。
【図面の簡単な説明】
【図１】実施形態１を示し、（ａ）は要部断面図、（ｂ）は断面図である。
【図２】同上の斜視図である。
【図３】同上を用いた照明器具を示し、（ａ）は側面図、（ｂ）は断面図である。
【図４】図３に示した照明器具に用いるライトガイドの斜視図である。
【図５】図３に示した照明器具に用いるライトガイドの動作説明図である。
【図６】実施形態２を示す要部断面図である。
【図７】応用例を示す断面図である。
【図８】従来例を示す断面図である。
【図９】他の従来例を示す断面図である。
【符号の説明】
１  ランプ
２  反射器
３  開口窓
４  透光板
６  パッキン
７  保持溝
１５  導電層
【図１】
0003617255.tif 000002
【図２】
0003617255.tif 000003
【図３】
0003617255.tif 000004
【図４】
0003617255.tif 000005
【図５】
0003617255.tif 000006
【図６】
0003617255.tif 000007
【図７】
0003617255.tif 000008
【図８】
0003617255.tif 000009
【図９】
0003617255.tif 000010